(57)【要約】    【課題】  押圧操作手段を採用しつつも耐久性の低下を招くことなく温度演出を採用できるようにする。    【解決手段】  所定条件のときに有効に操作可能な押圧操作手段２３を備える。押圧操作手段２３は押圧操作部４４と、押圧操作部４４を押圧方向に移動可能に支持する固定部材４５とを備え、固定部材４５に、遊技者が押圧操作部４４を操作するときに温度変化を体感可能な温度演出手段５３を備えている。温度演出手段５３は固定部材４５の裏側に配置され、温度演出手段５３はペルチェ素子６３を含むものである。【選択図】  図６
2016043216.tif 000002
【特許請求の範囲】
【請求項１】
所定条件のときに有効に操作可能な押圧操作手段を備えた遊技機において、
前記押圧操作手段は押圧操作部と、該押圧操作部を押圧方向に移動可能に支持する固定部材とを備え、
前記固定部材に、遊技者が前記押圧操作部を操作するときに温度変化を体感可能な温度演出手段を備えた
ことを特徴とする遊技機。
【請求項２】
前記固定部材は前記温度演出手段により加熱又は冷却される体感部を備えた
ことを特徴とする請求項１に記載の遊技機。
【請求項３】
前記温度演出手段は前記固定部材の裏側に配置した
ことを特徴とする請求項１又は２に記載の遊技機。
【請求項４】
前記温度演出手段はペルチェ素子を含む
ことを特徴とする請求項１〜３の何れかに記載の遊技機。
【請求項５】
温度演出を終了する場合に前記ペルチェ素子に温度演出を開始する場合と逆方向に通電する演出制御手段を備えた
ことを特徴とする請求項４に記載の遊技機。
【発明の詳細な説明】
【技術分野】
【０００１】
本発明は、パチンコ機、アレンジボール機、スロットマシン等の遊技機に関するものである。
【背景技術】
【０００２】
例えば、パチンコ機では、遊技者の発射ハンドルの操作により発射手段が作動して、球貯留皿から１個ずつ供給される遊技球をガイドレールを経て遊技盤の遊技領域の上部へと発射する。
【０００３】
そして、遊技球が遊技領域に沿って落下する間に特別図柄始動手段に入賞すれば、その遊技球の検出に基づいて特別遊技状態を発生させるか否かの抽選を行う一方、その遊技球の検出に基づいて特別図柄表示手段の特別図柄、演出画像表示手段の演出図柄を所定の変動パターンで所定時間変動させ、特別遊技の発生を抽選した場合には、特別図柄表示手段の特別図柄が特別態様で停止及び／又は演出画像表示手段の演出図柄が特別演出態様で停止した後、遊技者に有利な特別遊技状態を発生させる。
【０００４】
変動後に特別遊技状態が発生する期待度の高い変動パターンで演出画像表示手段の演出図柄が変動するか、演出図柄等の変動後に特別遊技状態が発生する等の所定条件になれば、各種の演出手段によりその時点の遊技状態を盛り上げる演出を行っている。
【０００５】
この演出手段には、ペルチェ素子による温度変化を利用した温度演出手段がある（特許文献１）。この温度演出手段は、遊技者が発射ハンドルを把持状態のときに、ペルチェ素子の加熱作用又は冷却作用により発射ハンドルを加熱又は冷却して、その加熱又は冷却を遊技者が体感できるようにしている。
【先行技術文献】
【特許文献】
【０００６】
【特許文献１】特開２００５−１６８８２４号公報
【発明の概要】
【発明が解決しようとする課題】
【０００７】
発射ハンドルは遊技者が単に把持して回動部を前後方向の軸心廻りに回動操作するだけであって、押したり叩いたりするものでないため、その内部に温度演出手段を組み込んでも耐久性が低下する等の問題は生じ難い。
【０００８】
しかし、近年のパチンコ機には、遊技中の所定条件が成立したときに操作可能なチャンスボタンを備え、このチャンスボタンを所定の有効期間内に操作すれば、それを操作しない場合とは異なる予告演出、その他が出現するようにしたものがあるが、このようなチャンスボタンの場合には、遊技者が掌で押したり叩いたりすることがあるため、チャンスボタンに温度演出手段を組み込む場合には、ペルチェ素子を含む温度演出手段自体の耐久性の問題がある。
【０００９】
本発明は、このような従来の問題点に鑑み、押圧操作手段を採用しつつも耐久性の低下を招くことなく温度演出を採用できる遊技機を提供することを目的とする。
【課題を解決するための手段】
【００１０】
本発明は、所定条件のときに有効に操作可能な押圧操作手段２３を備えた遊技機において、前記押圧操作手段２３は押圧操作部４４と、該押圧操作部４４を押圧方向に移動可能に支持する固定部材４５とを備え、前記固定部材４５に、遊技者が前記押圧操作部４４を操作するときに温度変化を体感可能な温度演出手段５３を備えたものである。
【００１１】
前記固定部材４５は前記温度演出手段５３により加熱又は冷却される体感部５２を備えたものでもよい。前記温度演出手段５３は前記固定部材４５の裏側に配置したものでもよい。前記温度演出手段５３はペルチェ素子６３を含むことが望ましい。温度演出を終了する場合に前記ペルチェ素子６３に温度演出を開始する場合と逆方向に通電する演出制御手段７１を備えたものでもよい。
【発明の効果】
【００１２】
本発明では、押圧操作手段を採用しつつも耐久性の低下を招くことなく温度演出を採用できる利点がある。
【図面の簡単な説明】
【００１３】
【図１】本発明の第１の実施形態を示すパチンコ機の正面図である。
【図２】同第１貯留手段側の平面図である。
【図３】同押圧操作手段の側面断面図である。
【図４】同押圧操作手段の正面断面図である。
【図５】同押圧操作手段の平面断面図である。
【図６】同温度演出手段の正面断面図である。
【図７】同制御系のブロック図である。
【図８】同予告演出処理のフローチャートである。
【図９】同予告演出処理のタイムチャートである。
【図１０】本発明の第２の実施形態を示すブロック図である。
【図１１】本発明の第３の実施形態を示す温度演出手段の断面図である。
【図１２】同温度演出手段の分解図である。
【図１３】本発明の第４の実施形態を示す予告演出処理のタイムチャートである。
【図１４】同予告演出処理のフローチャートである。
【図１５】本発明の第５の実施形態を示す長押し予告演出処理のタイムチャートである。
【図１６】同予告演出処理のフローチャートである。
【図１７】本発明の第６の実施形態を示す連打演出処理の説明図である。
【図１８】同連打演出処理のフローチャートである。
【図１９】本発明の第７の実施形態を示すブロック図である。
【図２０】同タイムチャートである。
【図２１】本発明の第８の実施形態を示す第１貯留手段側の平面図である。
【図２２】同押圧操作手段・温度演出手段側の正面断面図である。
【図２３】同押圧操作手段の側面断面図である。
【図２４】同押圧操作手段の側面断面図である。
【図２５】本発明の第９の実施形態を示す温度演出手段の断面図である。
【図２６】本発明の第１０の実施形態を示す押圧操作手段・温度演出手段の平面図である。
【発明を実施するための形態】
【００１４】
以下、本発明の各実施形態を図面に基づいて詳述する。
【００１５】
図１〜図９は本発明をパチンコ機１に採用した第１の実施形態を例示する。パチンコ機１は図１、図２に示すように矩形状の外枠２と、この外枠２の前側に装着された前枠３とを備え、これらにより遊技機本体が構成されている。前枠３は左右一端側が上下一対のヒンジ４により外枠２に縦軸廻りに開閉自在に枢支されている。
【００１６】
前枠３には上部側の遊技盤装着部（図示省略）に遊技盤５が着脱自在に装着され、また、遊技盤５の下側の支持壁に発射手段６、下部スピーカ７等が装着されている。前枠３の前側には、ヒンジ４と略同一軸心上のヒンジ８により第１前扉９と第２前扉１０とが開閉自在に装着されている。なお、第１前扉９、第２前扉１０は一体化して一つの前扉としてもよい。
【００１７】
第１前扉９は遊技盤５の前側に対応して配置されており、この第１前扉９は遊技盤５の遊技領域１３に対応する視認窓１４を有する扉枠１５と、視認窓１４を塞ぐように扉枠１５の裏面に着脱自在に装着され且つ遊技盤５の遊技領域１３を視認可能なガラスユニット（図示省略）とを有する。なお、第１前扉９の上部側には、効果音発生用の上部スピーカ１６が左右に一対設けられている。
【００１８】
第２前扉１０は、第１前扉９の下側で発射手段６等の前側に対応して配置されている。この第２前扉１０の前側には、発射手段６の発射用の遊技球を貯留する第１貯留手段１８と、余剰球を貯留する第２貯留手段１９と、発射手段６用の発射ハンドル２０とが設けられている。発射ハンドル２０は回動操作部２０ａを有し、この回動操作部２０ａを前後方向の軸心廻りに回動操作したときに発射手段６が作動して、第１貯留手段１８から１個ずつ供給される遊技球を遊技盤５のガイドレール２４を経て遊技領域１３の上部側へと発射するようになっている。
【００１９】
第１貯留手段１８、第２貯留手段１９は皿状であって、第２前扉１０の前側に上下に配置されており、その第１貯留手段１８は第１化粧カバー２１により、第２貯留手段１９は第２化粧カバー２２により夫々前側を含む周辺部分が覆われている。第１化粧カバー２１、第２化粧カバー２２は第２前扉１０に前側から装着されている。
【００２０】
第１化粧カバー２１には、第１貯留手段１８の前側の左右略中央部にチャンスボタン等の押しボタン式の押圧操作手段２３が配置されている。第２化粧カバー２２の側方に発射ハンドル２０が配置され、この発射ハンドル２０の背後に下部スピーカ７が配置されている。
【００２１】
遊技盤５の前面の遊技領域１３はガイドレール２４と前飾り部材２５とにより取り囲まれている。ガイドレール２４は発射手段６から発射された遊技球を遊技領域１３の上部側へと案内するようになっている。
【００２２】
遊技領域１３には、画像表示手段２８、普通図柄始動手段２９、特別図柄始動手段３０、可変入賞手段３１、普通入賞手段３２、普通図柄表示手段３３、特別図柄表示手段３４、可動演出手段３８等の各種の遊技部品が配置されている。
【００２３】
画像表示手段２８は遊技領域１３の左右方向の略中央の上部に配置され、また特別図柄始動手段３０、可変入賞手段３１は画像表示手段２８の下側に上下に配置されている。普通図柄始動手段２９は画像表示手段２８とガイドレール２４との間に配置されている。特別図柄始動手段３０は非開閉式入賞口３０ａと開閉式入賞口３０ｂとを有する。可変入賞手段３１は可変入賞口３１ａと、この可変入賞口３１ａを開閉する開閉板３１ｂとを備えている。普通入賞手段３２は可変入賞手段３１の左右両側に設けられている。
【００２４】
画像表示手段２８は、遊技盤５に裏側から装着された液晶式等の画像表示部３６と、画像表示部３６に対応する表示窓を有し且つ遊技盤５に前側から装着された前飾り用の前構造体３７とを備えている。前構造体３７にはその左右一側部側の前面に普通図柄表示手段３３と特別図柄表示手段３４とが上下に配置され、また画像表示部３６の上側に可動演出手段３８が配置されている。
【００２５】
普通図柄表示手段３３は普通図柄を変動表示するためのもので、複数種類の普通図柄（例えば二種類の「○」「×」）に対応する複数個の発光素子により構成されている。この普通図柄表示手段３３は普通図柄始動手段２９が遊技球を検出することを条件に、２個の発光素子が交互に点灯するように所定時間点滅して、普通図柄始動手段２９の遊技球の検出に基づいて抽選した乱数値が予め定められた特定遊技判定値と一致した場合に特定態様の「○」側の発光素子が点灯し、それ以外の場合に非特定態様の「×」側の発光素子が点灯して停止する。
【００２６】
特別図柄表示手段３４は特別図柄を変動表示するためのもので、発光部位の変化等で特別図柄を変動表示可能なセグメント式等により構成されている。この特別図柄表示手段３４は特別図柄始動手段３０が遊技球を検出することを条件に、特別図柄が所定時間変動して、特別図柄始動手段３０の遊技球の検出に基づいて抽選された乱数値が予め定められた特別遊技判定値と一致した場合に所定の特別遊技態様で、それ以外の場合に非特別遊技態様で停止するようになっている。
【００２７】
特別図柄始動手段３０の開閉式入賞口３０ｂは、普通図柄表示手段３３の変動後の停止図柄が特定態様となったときに所定時間だけ開放するようになっている。可変入賞手段３１は特別図柄表示手段３４の変動後の特別図柄が特別遊技態様となって特別遊技状態が発生したときに開閉板３１ｂが前側に開放して、上方から落下する遊技球を可変入賞口３１ａへと入賞させるようになっている。
【００２８】
画像表示部３６は待機中にデモ画像を表示する他、必要に応じて演出画像を変動表示する演出図柄表示手段３９、押圧操作手段２３の有効期間を操作指示画像４０ａの表示により報知する有効期間報知手段４０、有効期間内に押圧操作手段２３を操作したときに所定の予告演出画像４１ａを表示する予告演出画像表示手段４１として夫々機能するようになっている。
【００２９】
即ち、演出図柄表示手段３９は特別図柄表示手段３４の特別図柄が変動する際に、その特別図柄の変動に同期して３個の演出図柄３９ａ〜３９ｃを変動表示するためのものである。この演出図柄３９ａ〜３９ｃは特別図柄始動手段３０の遊技球の検出を条件に、抽選により決定された所定の演出図柄変動パターンを経て所定時間変動した後、特別図柄の変動終了に同期して所定の順序（例えば左、右、中等の順序）で順次停止する。
【００３０】
演出図柄３９ａ〜３９ｃの変動後の停止図柄は、特別図柄が特別遊技態様で停止する場合には全てが揃う特別演出態様となり、特別図柄が非特別遊技態様で停止する場合には少なくとも一部が異なる非特別演出態様となる。
【００３１】
この演出図柄３９ａ〜３９ｃには０〜９までの数字図柄が使用されており、特別図柄が特別遊技態様で停止する場合には演出図柄３９ａ〜３９ｃは「７・７・７」等の特別演出態様で停止し、特別図柄が非特別遊技態様で停止する場合には演出図柄３９ａ〜３９ｃは「２・３・４」等の非特別演出態様で停止する。
【００３２】
有効期間報知手段４０は押圧操作手段２３の操作の有効期間を遊技者に対して報知するためのものである。この有効期間報知手段４０は、変動後の特別図柄が特別遊技態様となる信頼度の高い変動パターンを抽選して遊技者に対して期待感を抱かせる所定の遊技状態になった場合、例えば１個の演出図柄３９ｂを除く２個の演出図柄３９ａ，３９ｃが同じとなるリーチ等の所定条件が成立した場合に、画像表示部３６の所定箇所に押圧操作手段２３の操作を指示する操作指示画像４０ａを表示して、その操作指示画像４０ａにより押圧操作手段２３の有効期間を遊技者に対して報知するようになっている。
【００３３】
予告演出画像表示手段４１は、操作指示画像４０ａが表示状態にある有効期間中に押圧操作手段２３を操作したときに、特別遊技状態の発生を予告する所定の予告演出画像４１ａ、例えばルーレットを矢で射る等の画像を表示するようになっている。
【００３４】
押圧操作手段２３は例えばチャンスボタンであって、第１化粧カバー２１の前側の前下りに緩やかに傾斜する部位に配置されており、図３〜図６に示すように構成されている。即ち、この押圧操作手段２３は、遊技者が押圧操作可能な押圧操作部４４と、押圧操作部４４を押圧方向に移動可能に支持する固定部材４５と、押圧操作部４４を戻し方向に付勢する戻しバネ４６と、押圧操作部４４の操作を検出する検出スイッチ４７と、押圧操作部４４を発光させるＬＥＤ等の発光体４８とを有する。
【００３５】
固定部材４５は熱伝導性を有する合成樹脂材により成型されており、外周側に第１化粧カバー２１の装着部位に上側から当接する当接部４９と、下側へと突出する周方向に複数個の取り付け爪５０とを有し、第１化粧カバー２１の装着部位に形成された装着孔５１に対応して取り付け爪５０により着脱自在に固定されている。
【００３６】
この固定部材４５には、遊技者が押圧操作部４４を掌で押圧操作するときに、その掌が接触可能な手前側に体感部５２が上側に突出して一体に設けられ、その体感部５２の裏側に温度演出手段５３が装着されている。
【００３７】
押圧操作部４４は光透過性を有する合成樹脂材により成型されており、左右方向に長い長円状又は楕円状で且つ固定部材４５から僅かに突出する頂部４４ａと、この頂部４４ａの外周から下方に延びる周壁部４４ｂとを一体に備え、固定部材４５の開口部４５ａに上下動自在に嵌め込まれている。なお、押圧操作部４４の形状は任意であって、左右方向に長い矩形状又は正方形状でもよいし、真円状でもよい。周壁部４４ｂ内には頂部４４ａの下側に対応して拡散板５４と乱反射板５５と支持板５６とが配置され、支持板５６の透孔５６ａを介して照射される発光体４８からの光により頂部４４ａ側を発光させるようになっている。
【００３８】
支持板５６は遮光性を有する合成樹脂材により成型されており、径方向の外側に突出する係合突起５７と、下方側へと突出する爪付きの案内突起５８とが一体に設けられている。この支持板５６は係合突起５８を介して押圧操作部４４の周壁部４４ｂに着脱自在に固定され、また爪付きの案内突起５８を受け部材５９の案内孔５９ａに上下摺動自在に挿通されて抜け止めされている。受け部材５９は固定部材４５のボス部４５ｃにネジ等の固定手段５９ｂで着脱自在に固定されている。
【００３９】
戻しバネ４６は圧縮コイルバネ等であって、押圧操作部４４の略中央で支持板５６のバネ受け部５６ｃと受け部材５９のバネ受け部５９ｃとの間に介在されている。押圧操作部４４は案内突起５８の爪が受け部材５９の下側に係合する待機位置と、周壁部４４ｂが受け部材５９の上側に当接する押圧位置との間で移動自在である。
【００４０】
検出スイッチ４７、発光体４８は受け部材５９の下側に設けられた基板６０に装着されている。検出スイッチ４７は押圧操作部４４の略中央に配置されており、押圧操作部４４を押圧して支持板５６の下側の突起部６１が検出スイッチ４７内に侵入したときに、押圧操作部４４の押圧を検出するように非接触式のフォトセンサ等により構成されている。検出スイッチ４７、突起部６１は、戻しバネ４６と干渉しないようにその略中央に配置されている。発光体４８は検出スイッチ４７の両側に配置されている。
【００４１】
温度演出手段５３は温度変化により遊技状態を演出するためのもので、図３、図５及び図６に示すように固定部材４５の体感部５２の裏側に装着されており、体感部５２を所定温度に冷却して、押圧操作部４４を有効に操作可能な有効期間中に、遊技者が押圧操作手段２３の押圧操作部４４を操作したときに、体感部５２の温度変化を体感できるようになっている。
【００４２】
この温度演出手段５３は、直流電流の通電方向に応じて一側面が冷却側（吸熱側）となり他側面が加熱側（発熱側）となるペルチェ素子６３と、このペルチェ素子６３の冷却側の温度変化を体感部５２に伝達する熱伝導体６４と、ペルチェ素子６３の加熱側の熱を放熱するヒートシンク６５と、熱伝導体６４とヒートシンク６５との間に介在され且つペルチェ素子６３の外周を取り囲む断熱材６６とを備え、ヒートシンク６５がネジ等の固定手段６７により、固定部材４５の裏側に着脱自在に固定されている。なお、ペルチェ素子６３と熱伝導体６４、ペルチェ素子６３とヒートシンク６５との間には、シリコン等のグリグリースが薄膜状に介在されている。
【００４３】
ペルチェ素子６３は例えば矩形状であって、熱伝導体６４とヒートシンク６５との間に介在され、シリコン材等のシール性を有する断熱材６６により取り囲まれている。熱伝導体６４はアルミ材等の熱伝導性のよい材料により構成され、ペルチェ素子６３、断熱材６６を挟んでネジ等の固定手段６８によりヒートシンク６５に着脱自在に固定されている。また熱伝導体６４はペルチェ素子６３の冷却側の温度変化を体感部５２に集中的に伝達するように、固定部材４５の体感部５２の裏側の凹部５２ａ内に密着状に嵌め込まれており、固定部材４５の体感部５２の外周部分側との間には所定の隙間が設けられている。ヒートシンク６５は多数の放熱用のフィン６５ａを有する。
【００４４】
温度演出手段５３のペルチェ素子６３は、図７に示すように、遊技動作を制御する主制御手段７０からのコマンドに従って演出制御手段７１により制御可能である。演出制御手段７１は、演出図柄３９ａ〜３９ｃその他の演出画像による画像演出、遊技盤５その他の各部のＬＥＤの点滅等の発光演出、スピーカから所定の効果音を発生させる音響演出、可動演出手段３８を作動させる可動演出、温度演出手段５３の冷却側の温度変化による温度演出等の演出制御を行うためのものである。
【００４５】
この演出制御手段７１は主制御手段７０からの変動パターンコマンドに応じて予告演出の有無を抽選し、予告演出を行う旨の抽選をした場合には、その予告演出制御部７２、温度演出制御部７３を通じて所定の予告演出に関連する制御を行うようになっている。例えば、主制御手段７０からの変動パターンコマンド中でも、特別図柄の変動後に特別遊技状態になるか、又は特別遊技状態になる確立の高い等の、変動時間の比較的長い特定の変動パターンコマンドがあった場合に、演出制御手段７１がその特定の変動パターンコマンドに従って予告演出の有無、種別等を決定する。
【００４６】
予告演出制御部７２は予告演出を行う旨の決定があった場合には、その変動パターンでの演出図柄３９ａ〜３９ｃの変動中に、演出図柄３９ａ〜３９ｃがリーチになる等の所定条件が成立したときに、有効期間報知手段４０に有効期間の操作指示画像４０ａを表示させる機能と、この有効期間報知手段４０が操作指示画像４０ａを表示中の有効期間内に遊技者が押圧操作手段２３を操作したときに予告演出画像表示手段４１に予告演出画像４１ａを表示させる機能とを有する。
【００４７】
温度演出制御部７３は所定条件が成立したときに、有効期間報知手段４０に操作指示画像４０ａが表示される有効期間中に、その操作指示画像４０ａ中に温度演出手段５３のペルチェ素子６３に直流電流を流し、ペルチェ素子６３の冷却側の冷却作用により体感部５２を冷却するようになっている。
【００４８】
このパチンコ機１では、発射ハンドル２０を操作して第１貯留手段１８から１個ずつ供給される遊技球を発射手段６によりガイドレール２４を経て遊技盤５の遊技領域１３へと順次発射させながら遊技を行う。遊技領域１３の上部側へと順次打ち込まれた遊技球は、遊技盤５の前面に沿って落下する間に入賞手段３１，３２等に入賞するか、又は入賞せずにアウト球口から外部へと排出して行く。
【００４９】
遊技球が特別図柄始動手段３０に入賞すると、その遊技球の入賞に基づいて特別遊技状態を発生させるか否かの抽選等を行い、その抽選結果に応じて特別図柄表示手段３４の特別図柄、演出図柄表示手段３９の演出図柄３９ａ〜３９ｃ等が同期して所定の変動パターンに従って所定時間変動して停止する。
【００５０】
特別遊技状態の発生を抽選した場合には、変動後の特別図柄が特別態様で、演出図柄３９ａ〜３９ｃが特別演出態様で夫々停止し、その後、可変入賞手段３１の開閉板３１ｂが可変入賞口３１ａを開放するがため、遊技球が可変入賞口３１ａに入賞し易くなる。そして、可変入賞手段３１は、所定時間の開放と、所定数の遊技球の入賞との何れか早い方を１ラウンドとする開閉動作を最大所定ラウンド数まで繰り返す。
【００５１】
予告演出処理に際しては、図８に示すような手順により行う。先ず特別図柄表示手段３４の特別図柄、演出図柄表示手段３９の演出図柄３９ａ〜３９ｃの変動中に、所定条件の成立の有無を確認する（Ｓ１）。そして、例えば演出図柄３９ａ〜３９ｃが予告演出を含む特定の変動パターンで変動する場合に、図９（ａ）に示すように変動中の演出図柄３９ａ〜３９ｃがリーチになる等の所定条件が成立すれば、予告演出制御部７２の制御により、有効期間報知手段４０が押圧操作手段２３の有効期間（図９（ｂ）参照）を示す操作指示画像４０ａを表示し（Ｓ２）、続いて温度演出制御部７３の制御により、温度演出手段５３のペルチェ素子６３への通電を指令し（Ｓ４）、図９（ｃ）に示すようにペルチェ素子６３に通電する。
【００５２】
なお、有効期間中に温度演出を行うか否かの選択を行うようにしてもよい。その場合には、ペルチェ素子６３への通電の前に温度演出を行うか否かを判定し（Ｓ３）、温度演出を行う旨の判断のあった後に、ペルチェ素子６３に通電するように構成すればよい。
【００５３】
有効期間は図９（ａ）（ｂ）に示すように特別図柄、演出図柄３９ａ〜３９ｃが停止するまでの変動中であり、有効期間内に押圧操作手段２３の操作があるか否かの判定を行う（Ｓ５，６）。有効期間が経過すれば（Ｓ５）、押圧操作手段２３の操作の有無に関係なく予告演出処理を終了する。
【００５４】
有効期間中に遊技者が押圧操作手段２３の押圧操作部４４を操作すると（Ｓ６）、検出スイッチ４７が検出信号を予告演出制御部７２へと送信する。そして、予告演出制御部７２の制御により、予告演出画像表示手段４１が特別遊技状態の発生を予告する予告演出画像４１ａを表示して（Ｓ７）、遊技者に対して特別遊技状態の発生への期待感を喚起する予告演出を行う。なお、遊技者が有効期間内に押圧操作手段２３を操作すれば操作指示画像４０ａが消える等、予告演出処理が終了する。
【００５５】
遊技者は一般的に掌、拳等で押圧操作手段２３の押圧操作部４４を押圧又は叩くように操作する（図９（ｅ）参照）。このとき体感部５２の温度は図９（ｄ）に示すように低下しているため、掌、拳等が体感部５２に接触することにより、遊技者は温度演出手段５３による体感部５２の冷却に伴う温度演出を体感することができる。
【００５６】
即ち、画像表示部３６が押圧操作手段２３の有効期間を示す操作指示画像４０ａを表示すると、略同時又は直後に温度演出制御部７３がペルチェ素子６３に対して所定方向に直流電流を流す。これによってペルチェ素子６３はヒートシンク６５側が加熱し、熱伝導体６４側が冷却する。そして、ヒートシンク６５がペルチェ素子６３の熱を放熱し、また熱伝導体６４が固定部材４５の体感部５２の熱をペルチェ素子６３の冷却側に伝えるため、その冷却により体感部５２側が冷却されて、通電時間に応じた所定温度まで冷却された状態になる。
【００５７】
従って、体感部５２の冷却を有効期間のタイミングに一致させることができ、体感部５２の冷却過程又は冷却状態のときに遊技者の掌がその体感部５２に接触することになるため、遊技者は体感部５２の温度変化、特に体感部５２の冷却を容易且つ確実に体感することができる。また遊技者が恐怖感を抱くような主題によって構成されたパチンコ機１の場合には、体感部５２の冷却によって遊技者の恐怖感をかきたてることもできる。
【００５８】
また、押圧操作手段２３はその押圧操作部４４を掌、拳等で押圧し又は叩くように操作をするが、押圧操作部４４を押圧方向に移動自在に支持する固定部材４５に温度演出手段５３を装着しているため、ペルチェ素子６３を含む温度演出手段５３自体の耐久性も向上する利点がある。
【００５９】
しかも、固定部材４５の体感部５２を突出状に構成する一方、その裏側の凹部５２ａに嵌まる熱伝導体６４をペルチェ素子６３の冷却側に設けているため、熱伝導体６４を介して固定部材４５の体感部５２を効率よく集中的に冷却することができる。
【００６０】
ペルチェ素子６３への直流電流は、所定時間の経過により遮断すればよい。この場合にもペルチェ素子６３の通電時間と温度変化との関係を把握しておれば、体感部５２を適正温度に冷却することが可能である。
【００６１】
図１０は本発明の第２実施形態を例示する。この実施形態では、ペルチェ素子６３の冷却側又は体感部５２側の温度を検出する温度センサ７４を備え、この温度センサ７４が体感部５２側の適正温度を検出したときに温度演出制御部７３がペルチェ素子６３への通電を解除するようになっている。その他の構成は第１の実施形態と略同様でる。
【００６２】
このように温度センサ７４が体感部５２側の適正温度を検出したときにペルチェ素子６３への通電を解除すれば、遊技ホールの室内温度の高低等に関係なく体感部５２を適正温度に冷却することが可能である。
【００６３】
またペルチェ素子６３への通電の終了から次の通電の開始までに体感部５２の温度が十分に回復しないような場合には、常温で通電を開始する場合に比較して体感部５２が適正温度まで早く下るので、通電時間を短縮できると共に、体感部５２の過度の冷却等を防止できる。
【００６４】
図１１、図１２は本発明の第３実施形態を例示する。この実施形態の押圧操作手段２３の固定部材４５は、押圧操作部４４の近傍に平坦面状の体感部５２を備え、この体感部５２の裏側に温度演出手段５３の熱伝導体６４が面接触している。熱伝導体６４の面積はペルチェ素子６３の面積よりも大になっている。その他の構成は第１の実施形態と略同様でる。
【００６５】
このように固定部材４５の体感部５２は平坦状に構成してもよい。この場合、平坦状の体感部５２に合わせて熱伝導体６４の面積をペルチェ素子６３よりも大にすれば、ペルチェ素子６３の冷却側で固定部材４５の体感部５２側の熱を広範囲にわたって効率的に冷却することが可能であり、広範囲の体感部５２を低温に制御することができる。従って、熱伝導体６４は体感部５２側の冷却領域の大小に応じて適宜調整すればよい。また熱伝導体６４を左右方向に長くする等、押圧操作部４４を操作するときの掌又は拳と接触し易い方向に広がりを持たせてもよい。
【００６６】
図１３、図１４は本発明の第４実施形態を例示する。この実施形態では、図１３（ａ）（ｃ）に示すように長短の有効期間Ｔ１，Ｔ２があり、この有効期間Ｔ１，Ｔ２がペルチェ素子６３の適正温度までの温度変化に要する温度変化時間Ｔ３（図１３（ｂ）（ｄ）参照）に対して図１３（ａ）と（ｂ）、図１３（ｃ）と（ｄ）とのように長短関係にある場合に、その長短関係に応じてペルチェ素子６３の通電開始時期を変化させるようにしたものである。他の構成は各実施形態と同様である。
【００６７】
なお、長短二種類の有効期間Ｔ１，Ｔ２はその何れか一方、例えば時間の長い有効期間Ｔ１の方が特別遊技の発生に対する期待度が高くなるようにすることが望ましい。
【００６８】
長短の二種類の有効期間Ｔ１，Ｔ２がある場合の予告演出は、図１４に示すような手順により行う。主制御手段７０から変動パターンコマンドがあれば、その変動パターンコマンドに基づいて演出制御手段７１にて予告演出の有無、予告演出ありの場合の有効期間Ｔ１，Ｔ２の長短等を決定する。
【００６９】
予告演出を行う場合には、所定条件の成立後に、そのときの有効期間Ｔ１，Ｔ２とペルチェ素子６３の温度変化時間Ｔ３とを比較する。そして、有効期間Ｔ１が温度変化時間Ｔ３よりも長いときには、図１３（ａ）及び（ｂ）に示すように所定条件の成立から所定時間ｔが経過した後に有効期間Ｔ１を開始し、その開始後（又は開始と略同時）にペルチェ素子６３の通電を開始する。また逆に有効期間Ｔ２が温度変化時間Ｔ３よりも短いときには、図１３（ｃ）及び（ｄ）に示すように、有効期間Ｔ２の開始前にペルチェ素子６３の通電を開始し、また所定条件の成立から所定時間ｔが経過した後に有効期間Ｔ２を開始する。
【００７０】
即ち、予告演出処理に際しては、図１４に示すように、所定条件が成立すると（Ｓ９）、先ずそのときの有効期間Ｔ１，Ｔ２と温度変化時間Ｔ３との長短関係を判断する（Ｓ１０）。
【００７１】
仮に有効期間Ｔ１が温度変化時間Ｔ３よりも長い場合には、予告演出制御部７２の制御により、所定条件の成立から所定時間ｔが経過した後に有効期間報知手段４０に有効期間を示す操作指示画像４０ａを表示し（Ｓ１１）、温度演出制御部７３の制御により、その表示と略同時又は一定時間後にペルチェ素子６３の通電を開始する（Ｓ１２）。これは有効期間Ｔ１が温度変化時間Ｔ３よりも長く、その有効期間Ｔ１内にペルチェ素子６３への通電により体感部５２を適正温度に冷却できるためである。
【００７２】
その後、有効期間Ｔ１内（Ｓ１３）に押圧操作手段２３の操作があれば（Ｓ１４）、予告演出画像４１ａを表示して予告演出を行う（Ｓ１５）。
【００７３】
また有効期間Ｔ２が温度変化時間Ｔ３よりも短い場合には、有効期間報知手段４０に操作指示画像４０ａが表示される前に、所定条件の成立と同時又はその後にペルチェ素子６３の通電を開始して（Ｓ１６）、ペルチェ素子６３への通電により体感部５２の冷却を始める。
【００７４】
そして、その後に画像表示部３６に有効期間を示す操作指示画像４０ａを表示する（Ｓ１７）。従って、有効期間Ｔ２が短くても、ペルチェ素子６３への通電により有効期間Ｔ２内に体感部５２を適正温度に冷却できる。その後、有効期間Ｔ２内（Ｓ１８）に押圧操作手段２３の操作があれば（Ｓ１９）、予告演出画像４１ａを表示して予告演出を行う（Ｓ１５）。
【００７５】
なお、ペルチェ素子６３への通電の解除は、有効期間Ｔ２の終了でもよいし、有効期間Ｔ２内にタイマ制御により行ってもよい。更に温度センサを使用してフィードバック制御してもよい。
【００７６】
このように有効期間Ｔ１，Ｔ２と温度変化時間Ｔ３との長短関係を考慮して、通電開始時期を決定することにより、有効期間Ｔ１，Ｔ２内に体感部５２を適正温度に制御することが可能であり、両者のタイミングを一致させることができる。従って、体感部５２が適正温度になる前に有効期間Ｔ１，Ｔ２が終了する等の問題を解消することができ、遊技者は体感部５２の温度変化による熱演出を体感することができる。
【００７７】
図１５、図１６は本発明の第５の実施形態を例示する。この実施形態では、図１５（ａ）（ｂ）に示すように、所定条件の成立後、所定の有効期間Ｔ内に遊技者が押圧操作手段２３の押圧操作部４４を押圧したときに、図１５（ｅ）に示すようにペルチェ素子６３の通電を開始する。そして、有効期間Ｔ内に押圧操作部４４を押圧して、その押圧開始から所定時間Ｔ４だけ継続して押圧する長押しがあった場合に、図１５（ｄ）に示すように予告演出画像表示手段４１に長押し用の予告演出画像４１ａを表示して長押し予告演出を行う。他の構成は各実施形態と同様である。
【００７８】
この長押し予告演出処理は、図１６に示すような手順により行う。即ち、長押し予告演出処理に際しては、所定条件が成立した後（Ｓ２１）、有効期間報知手段４０に有効期間Ｔを示す操作指示画像４０ａを表示する（Ｓ２２）。そして、次に有効期間Ｔ内の押圧操作部４４の操作の有無を確認し（Ｓ２３，Ｓ２４）、遊技者が有効期間Ｔ内に押圧操作部４４を操作すれば、ペルチェ素子６３へと通電する（Ｓ２５）。従って、遊技者の押圧操作中にペルチェ素子６３の冷却側の冷却作用により体感部５２が冷却されるので、遊技者はその体感部５２の温度変化を確実に体感することができる。
【００７９】
一方、操作開始からの押圧操作部４４の操作時間が所定の長押し時間Ｔ４となる長押しの完了か否かを判定し（Ｓ２６）、長押しが完了しておれば、ペルチェ素子６３への通電を解除した後に（Ｓ２７）、画像表示部３６に通常の予告演出とは異なる長押し予告演出画像４１ａを表示する長押し予告演出を行い（Ｓ２８）、その後に長押し予告演出処理を終了する。なお、ペルチェ素子６３への通電の解除は所定時間での時間制御、又は温度センサによるフィードバック制御で行ってもよい。
【００８０】
このようにすれば、押圧操作部４４の操作を条件に温度演出手段５３による温度演出を行うようにしてもよい。なお、演出制御手段７１において、温度変化演出を行うか否かの抽選を行い、長押し期間Ｔ４中の温度変化演出の有無によって、特別遊技の発生に対する期待度が変化するようにしてもよい。
【００８１】
図１７、図１８は本発明の第６の実施形態を例示する。この実施形態では、変動パターンコマンド等により演出制御手段７１において連打予告演出、温度予告演出の有無を予め抽選しておき、所定の有効期間Ｔ内に遊技者が押圧操作手段２３の押圧操作部４４を連打した場合に、それに応じて予告演出画像表示手段４１の予告演出画像４１ａの表示目盛が増大し、また温度演出手段５３による温度演出を行うようにしている。
【００８２】
例えば、予告演出画像表示手段４１による予告演出時には、図１７に示すようにその表示目盛が左側から右側へと増加し、その表示目盛が大になる程、図柄変動後の特別遊技の発生に対する期待度が高まるようになっており、これに温度演出手段５３による温度変化演出を組み合わせて更に期待度が高まるようになっている。
【００８３】
即ち、有効期間Ｔ内に遊技者が押圧操作手段２３の押圧操作部４４を連打すれば、予告演出制御部７２により、連打数等に応じて予告演出画像４１ａの表示目盛が増加し、続いて温度演出制御部７３の制御により、ペルチェ素子６３に通電する。なお、連打予告演出、温度予告演出の有無の他、予告演出時に表示される表示目盛の最大数等は、演出制御手段７１にて予め抽選等により決定しておくことが望ましい。他の構成は各実施形態と同様である。
【００８４】
連打予告演出処理は、図１８に示すような手順により行う。連打予告演出の処理に際しては、変動中の演出図柄３９ａ〜３９ｃがリーチになる等の所定条件が成立すると（Ｓ３０）、有効期間報知手段４０が押圧操作手段２３の連打を指示する操作指示画像４０ａを表示する（Ｓ３１）。この操作指示画像４０ａの表示中に遊技者が押圧操作手段２３を連打すれば（Ｓ３２）、その連打に従って予告演出画像表示手段４１の予告演出画像４１ａである表示目盛が増加するように増加演出を行い（Ｓ３３）、その連打を条件にペルチェ素子６３に通電する（Ｓ３４）。そして、連打の継続か否か（Ｓ３５）、有効期間内の終了か否かを判定し（Ｓ３６）、連打の終了、有効期間の終了により連打予告演出処理を終了する。
【００８５】
このように連打予告演出を行うか否かを予め決定しておき、連打予告演出を行う旨の決定に従って押圧操作手段２３の連打を条件に予告演出を実行する場合にも、押圧操作手段２３の連打を条件にペルチェ素子６３への通電を行うようにすれば、その有効期間中に体感部５２の冷却による温度演出を併用することができる。
【００８６】
なお、温度予告演出を行うか否かを決定しておき、温度予告演出を行う旨の決定に従って押圧操作手段２３の連打を条件にペルチェ素子６３に通電するようにしてもよい。
【００８７】
図１９、図２０は本発明の第７の実施形態を例示する。この実施形態の温度演出制御部７３は、図１９に示すように、温度演出用通電部７６と温度演出終了用通電部７７とを備えている。温度演出用通電部７６は温度演出手段５３のペルチェ素子６３に温度演出に際して所定方向に直流電流を流す機能を有する。温度演出終了用通電部７７は温度演出を終了する際に、温度演出とは逆方向に直流電流を所定時間流して、ペルチェ素子６３の加熱側を冷却に、冷却側を加熱に切り替えるためのものである。
【００８８】
この実施形態では、図２０（ａ）に示すように、温度演出に際しては温度演出用通電部７６を経てペルチェ素子６３に所定時間、所定方向に通電して、そのペルチェ素子６３の冷却側の冷却作用により固定部材４５の体感部５２を冷却して行う。そして、温度演出が終了すれば、温度演出終了用通電部７７を経てペルチェ素子６３に逆方向の電流を流して、ペルチェ素子６３の冷却側を加熱側にして、固定部材４５の冷却状態にあった体感部５２をその加熱作用により強制的に加熱する。
【００８９】
このように温度演出の終了に際してペルチェ素子６３に逆方向に通電することにより、図２０（ｂ）示すように、固定部材４５の体感部５２を冷却状態から通常温度へと短時間で強制的に戻すことが可能であり、温度演出のサイクルが短い場合にも、体感部５２の温度変化を確実に体感することができる。なお、温度演出の終了と略同時に逆方向の通電を開始してもよい。他の構成は各実施形態と同様である。
【００９０】
図２１〜図２４は本発明の第８の実施形態を例示する。この実施形態では、第１化粧カバー２１には第１貯留手段１８の前側の左右方向の中央部に発光演出手段７９が配置され、この発光演出手段７９に対して発射ハンドル２０と反対側に押圧操作手段２３と温度演出手段５３とが配置されている。発光演出手段７９は赤色、その他で回転発光する回転発光手段（図示省略）を発光カバー７９ａ内に備え、特別遊技状態の発生の予告等の適宜発光演出に使用されている。
【００９１】
押圧操作手段２３は左右方向に長い横長状の固定部材４５と、この固定部材４５により指示された押圧操作部４４とを備え、第１の実施形態と略同様に構成されている。固定部材４５と押圧操作部４４は上面側が略同高さである。温度演出手段５３は押圧操作部４４が左右方向に長い形状であるのに対して前後方向に長い形状であり、熱伝導体６４が固定部材４５の体感部５２の裏側に当接されている。体感部５２は固定部材４５の上面に平坦状に形成されている。なお、押圧操作部４４、体感部５２の平面形状は適宜変更可能である。
【００９２】
このように押圧操作手段２３の押圧操作部４４と温度演出手段５３に対応する体感部５２とを左右に並べて配置することも可能である。従って、温度演出手段５３はこれに対応する体感部５２が押圧操作手段２３の近傍に位置するように配置すれば十分であり、押圧操作手段２３の前側、左側の他、押圧操作手段２３の後側、右側の何れに配置することも可能である。他の構成は各実施形態と同様である。
【００９３】
図２５は本発明の第９の実施形態を材時する。この実施形態では、固定部材４５に開口部８０が設けられ、この開口部８０から温度演出手段５３の熱伝導体６４の体感部８１が直接又は薄く熱伝導性のよい保護カバー８２を介して露出するようになっている。図２５（ａ）の熱伝導体６４は凸状の体感部８１を有し、この体感部８１が開口部８０内に配置され、その上端が固定部材４５の上面から上側に突出している。体感部８１は固定部材４５の上面と略面一状でもよい。
【００９４】
図２５（ｂ）の熱伝導体６４は凸状の体感部８１が薄く熱伝導性のよい保護カバー８２を介して固定部材４５の開口部８０内に配置されている。保護カバー８２の上端は固定部材４５の上面から上側に突出している。ペルチェ素子６３は熱伝導体６４の凹部内に嵌め込まれている。保護カバー８２の上端は固定部材４５の上面と略面一状でもよい。
【００９５】
なお、温度演出手段５３はユニット式であり、ヒートシンク６５がネジ等の固定手段８３により固定部材４５のボス部８４に着脱自在に固定されている。他の構成は各実施形態と同様である。
【００９６】
このように熱伝導体６４の体感部８１を固定部材４５の開口部８０に露出状に配置するか、薄く熱伝導性のよい保護カバー８２を介して開口部８０内に配置することも可能である。このような場合には、押圧操作部４４を押圧操作したときに、遊技者の掌等が熱伝導体６４の体感部８１に直接接触するか、保護カバー８２を介して接触するので、遊技者はペルチェ素子６３による体感部８１の温度変化を確実に体感できる。このためペルチェ素子６３の通電時の電流値、通電時間を下げて体感部８１の温度変化を小さく抑えることが可能である。
【００９７】
図２６は本発明の第１０の実施形態を例示する。この実施形態では、押圧操作手段２３の近傍に複数個の温度演出手段５３が配置されている。例えば、複数個の温度演出手段５３を配置する場合には、図２６（ａ）に示すように押圧操作手段２３の手前側に並べて設けてもよいし、図２６（ｂ）に示すように押圧操作手段２３を挟んでその前後（又は左右）両側に設けてもよい。
【００９８】
このように複数個の温度演出手段５３を配置する場合には、複数箇所で温度演出手段５３の温度変化を体感できる。なお、複数個の温度演出手段５３を設ける場合には、その一方を冷却側とし、他方を加熱側として、その冷却と加熱との違いによって演出内容を変えてもよい。
【００９９】
以上、本発明の各実施形態について詳述したが、本発明はこの各実施形態に限定されるものではなく、本発明の趣旨を逸脱しない範囲で種々の変更が可能である。例えば、各実施形態では、遊技機として弾球遊技機の一つであるパチンコ機１について例示しているが、パチンコ機１以外のアレンジボール機、スロットマシン等の各種の遊技機においても同様に実施可能であることは云うまでもない。
【０１００】
各実施形態において、そのフローチャートに記載の処理は演出制御手段７１により行われる。従って、フローチャートに記載の機能部分は、実質的に演出制御手段７１を構成するものである。
【０１０１】
また、押圧操作手段２３は遊技者の操作性を考慮して配置すればよく、パチンコ機１の場合にも第１貯留手段１８の第１化粧カバー２１の前側等に限定されるものではなく、任意の箇所に配置することも可能である。
【０１０２】
押圧操作手段２３は、少なくとも、遊技者が操作可能な押圧部材と、この押圧部材を押圧方向に移動可能に支持する固定部材４５とを備えたものであれば十分である。また温度演出手段５３を固定部材４５に設けるに当たっては、その体感部５２の裏側に固定状に装着するのが一般的であるが、ペルチェ素子６３の冷却作用を固定部材４５の体感部５２側に伝達できるものであれば、温度演出手段５３は衝撃吸収手段又は振動吸収手段を介して設けることも可能である。
【０１０３】
温度演出手段５３のペルチェ素子６３の温度変化を効率的に体感部５２側に伝達することが望ましい。その場合、実施形態に例示するように固定部材４５の体感部５２の裏側に熱伝導体６４を面接触させる他、体感部５２内に熱伝導性材料、例えば金属粉体又は金属粒体等を埋設してもよい。
【０１０４】
温度演出手段５３は各実施形態ではペルチェ素子６３の冷却側を利用するようにしているが、ペルチェ素子６３の加熱側を利用してもよい。また加熱側を利用するのであれば、ペルチェ素子６３以外の加熱体を利用することも可能である。従って、温度演出手段５３はペルチェ素子６３式に限定されるものではない。
【０１０５】
温度演出手段５３は演出内容の種類に応じて直流電流の通電方向を切り替えて、ある特定の予告演出では体感部５２側を冷却とし、これとは別の予告演出では体感部５２側を加熱とすることも可能である。その場合、ペルチェ素子６３の両側に熱電導性に優れた熱電導体を略対称に配置する等、ペルチェ素子６３の両側が加熱、冷却の何れにも対応できるようにすることが望ましい。
【０１０６】
温度演出手段５３を近傍に配置する場合の対象となる操作手段として、押圧操作式の押圧操作手段２３を例示しているが、押圧操作式に限定されるものではなく、発射ハンドル２０のように回動操作式のものでもよいし、可動型以外の感圧式等の操作手段、接触式の操作手段でもよい。また発射ハンドル２０等の場合も、温度演出手段５３は固定部材４５側に設けることが望ましいが、可動側に温度演出手段５３を設けることも可能である。
【符号の説明】
【０１０７】
２３  押圧操作手段
４４  押圧操作部
４５  固定部材
５２  体感部
５３  温度演出手段
６３  ペルチェ素子
７０  演出制御手段
【図１】
2016043216.tif 000003
【図２】
2016043216.tif 000004
【図３】
2016043216.tif 000005
【図４】
2016043216.tif 000006
【図５】
2016043216.tif 000007
【図６】
2016043216.tif 000008
【図７】
2016043216.tif 000009
【図８】
2016043216.tif 000010
【図９】
2016043216.tif 000011
【図１０】
2016043216.tif 000012
【図１１】
2016043216.tif 000013
【図１２】
2016043216.tif 000014
【図１３】
2016043216.tif 000015
【図１４】
2016043216.tif 000016
【図１５】
2016043216.tif 000017
【図１６】
2016043216.tif 000018
【図１７】
2016043216.tif 000019
【図１８】
2016043216.tif 000020
【図１９】
2016043216.tif 000021
【図２０】
2016043216.tif 000022
【図２１】
2016043216.tif 000023
【図２２】
2016043216.tif 000024
【図２３】
2016043216.tif 000025
【図２４】
2016043216.tif 000026
【図２５】
2016043216.tif 000027
【図２６】
2016043216.tif 000028